(57)【要約】【課題】  一枚のシートより構成された簡便なるシート式帽子を提供する。【解決手段】  一枚のシートからなる本体の外周をつばとし、つばの内周内に分離境界線を設けることにより、頭を覆えるクラウン部並びにクラウン部の形状を保つ保持部とが一体に形成され、クラウン部と突片のデザインを可能とする構成を特徴とするシート式帽子。【選択図】図１
2009057674.tif 000002
【特許請求の範囲】
【請求項１】
一枚のシートからなる本体の外周をつばとし、つばの内周内に分離境界線を設けることにより、頭を覆えるクラウン部並びにクラウン部の形状を保つ保持部とが一体に形成され、クラウン部と突片のデザインを可能とする構成を特徴とするシート式帽子。
【請求項２】
一枚のシートからなる本体の外周をつばとし、つばの内周内に分離境界線を設けることにより、頭を覆えるクラウン部並びに、接合することによりクラウン部の形状を保つ突片状の保持部とが一体に形成されたことを特徴とするシート式帽子。
【請求項３】
複数の留具を設けた、請求項１又は２記載のシート式帽子。
【発明の詳細な説明】
【技術分野】
【０００１】  本発明は一枚のシートより構成された簡便なるシート式帽子に関するものである。
【背景技術】
【０００２】  従来の帽子としては、麦藁帽子・サンバイザーなど多様な帽子が存在し、一枚の厚紙より構成された紙製サンバイザーも存在する。
なお、リング状シートを重合して構成したことを特徴とする帽子（特許文献１）や、庇の外周に鋼線を環状に包着し、鋼線の弾力により庇全体を緊張させ、庇と天蓋が分離可能となる簡易帽子（実用新案文献１）などが知られている。
【特許文献１】特許公開２００１−２２６８１４号公報
【実用新案文献１】
実用新案公開平６−７９７２３号公報
【発明の開示】
【発明が解決しようとする課題】
【０００３】  そのために次のような問題点があった。
（イ）麦藁帽子をはじめとするつばの広い従来の帽子は、首後部・うなじを直射日光から遮り体力の消耗を防ぐ点で優れるが、折り畳みにくく携帯・収納に不便である。
（ロ）従来の紙製サンバイザーは簡便であり携帯・収納性に優れるが、遮光用のつばが前方のみにしか存在せず遮光性に劣る。
（ハ）従来技術ではデザインを可能とすることができなかったため、子供たちに喜ばれるようなデザインをもった簡便な帽子を提供できなかった。又、これを実施するにはイベント等の都度に型紙からデザインを起こさなければならず不経済であった。
本発明は、これらの問題を解決するためになされたものである。
【課題を解決するための手段】
【０００４】  一枚のシートからなる本体の外周をつばとし、つばの内周内に分離境界線を設けることにより、頭を覆えるつづら折状のクラウン部並びにクラウン部の形状を保つ保持部とを形成し、それらを引き伸ばし折り組み天蓋状のクラウン部を形成し、つばとクラウン部とが一体に形成され、各部形状のデザインを可能とする構成としたシート式帽子である。
【発明の効果】
【０００５】  本発明は一枚のシートからなる簡便な帽子であり、一枚のシート状に収納し、使用時はつづら折状のクラウン部を引き伸ばし折り組み天蓋状のクラウン部を組み立て、つばとクラウン部とが一体となった帽子として使用する。クラウン部の形状は係止突片にて固定することにより保たれ、つば全体が湾曲し、その内側の弓状に折り下げた縁壁により本体全体の形状が保たれる。本発明は遮光用のつばが外周にわたって設けられているため、従来の紙製サンバイザーと比較し遮光性に優れる。さらに、天蓋状に形成されたクラウン部頂点に突出する突片を、動物の耳や角などに見立てるデザインを可能とする構成となっている。
【発明を実施するための最良の形態】  以下、本発明の実施の形態を説明する。【０００６】  本発明は、紙、又は可撓性樹脂シートからなる本体（１）の外周をつば（２）とし、つばの内周に内折れ線（３）並びに外折れ線（４）を円型又は楕円形に設け、つば（２）の内周部内に切込み（５）を入れ天板（６）前立（７）後立（８）を設け、それらを天蓋状に折り組むことによりクラウン部（９）を構成したシート式帽子の発明である。【０００７】  本発明の第１の実施の形態について図１から図４を用いて説明する。
（イ）紙、又は可撓性樹脂シートからなる本体（１）の一端を前方、他方を後方とし、本体の外周をつば（２）とし、つば（２）の内周前方に弓状の内折れ線（３ａ）を設け、つば（２）の内周後方に弓状の内折れ線（３ｂ）を設け、つば（２）の内周左側に弓状の外折れ線（４ａ）を設け弓状の縁壁（１０ａ）を形成し、つば（２）の内周右側に弓状の外折れ線（４ｂ）を設け弓状の縁壁（１０ｂ）を形成する。このとき内折れ線（３ａ）内折れ線（３ｂ）外折れ線（４ａ）外折れ線（４ｂ）は上方より見て連続的に円形又は楕円形をかたちづくる。
（ロ）つば（２）の内周前方より逆さＪ字型に左右対象に、短辺を内側に対向する形に切込み（５）を設け天板（６ａ）天板（６ｂ）を形成し、天板（６ａ）天板（６ｂ）の前方基端部を前立（７）とし、天板（６ａ）天板（６ｂ）に挟まれた後方基端部を後立（８）とする。
（ハ）天板（６ａ）天板（６ｂ）の後方側先端に突片（１１ａ）突片（１１ｂ）を残し、天板（６ａ）天板（６ｂ）の短辺を囲むようにＵ字型に切込み（５）を設け天板（６ｃ）天板（６ｄ）を形成し、その前方側先端に、左右より対向した半円状の係止突片（１２ａ）係止突片（１２ｂ）を設け、後立（８）と天板（６ｃ）天板（６ｄ）の境界部に外折れ線（４ｃ）を横方向に設ける。
（ニ）突片（１１ａ）の基端部外側に内折れ線（３ｃ）を横方向に設け基端部中央から後方に内折れ線（３ｄ）を設け基端部内側に外折れ線（４ｄ）を横方向設け、突片（１１ｂ）の基端部外側に内折れ線（３ｅ）を横方向に設け基端部中央から後方に内折れ線（３ｆ）を設け基端部内側に外折れ線（４ｅ）を横方向に設ける。
本発明は以上の構成からなっている。
本発明を使用するときは、図３に示すように内折れ線（３ａ）内折れ線（３ｂ）内折れ線（３ｃ）内折れ線（３ｄ）内折れ線（３ｅ）内折れ線（３ｆ）外折れ線（４ｃ）外折れ線（４ｄ）外折れ線（４ｅ）を折り、後立（８）の先端上面に係止突片（１２ａ）係止突片（１２ｂ）を上げ挟み固定し、天蓋状のクラウン部（９）を形成し、突片（１１ａ）突片（１１ｂ）を垂直に立てる。外折れ線（４ａ）外折れ線（４ｂ）を折込み、縁壁（１０ａ）縁壁（１０ｂ）をつば（２）に対し垂直に折り下げ、帽子の形体を成した本体（１）が完成となる。このときつば（２）は図４に示すように側面より見て、中央のクラウン部（９）を頂点とした弓形をかたちづくる。完成した本発明は図１に示すように従来の帽子同様に頭部（１３）に冠ることができる。本発明は一枚のシート状に収納し、使用時はつづら折状の天板（６）を引き伸ばし折り組み天蓋状のクラウン部（９）を組み立て、つば（２）とクラウン部（９）とが一体となった帽子として使用する。本発明はクラウン部に大きな隙間が開く構造になっているが、頭部（１３）にバンダナ等の布（１４）を冠った上に本発明を冠ることにより、従来の広いつばを有する帽子同様の遮光性を発揮する。又、クラウン部（９）頂点に突出する突片（１１）が動物の耳や角などに見立てるデザインを可能とする構成となっている。【０００８】  本発明の第２の実施の形態について図５から図１０を用いて説明する。
（イ）紙、又は可撓性樹脂シートからなる本体（１）の一端を前方、他方を後方とし、本体の外周をつば（２）とし、つば（２）の内周前方に弓状の内折れ線（３ａ）を設け、つば（２）の内周後方に弓状の内折れ線（３ｂ）を設け、つば（２）の内周左側に弓状の外折れ線（４ａ）を設け弓状の縁壁（１０ａ）を形成し、つば（２）の内周右側に弓状の外折れ線（４ｂ）を設け弓状の縁壁（１０ｂ）を形成する。このとき内折れ線（３ａ）内折れ線（３ｂ）外折れ線（４ａ）外折れ線（４ｂ）は上方より見て連続的に円形又は楕円形をかたちづくる。
（ロ）つば（２）の内周前方より逆さＪ字型に左右対象に、短辺を内側に対向する形に切込み（５）を設け天板（６ａ）天板（６ｂ）を形成し、天板（６ａ）天板（６ｂ）の前方基端部を前立（７）とし、天板（６ａ）天板（６ｂ）に挟まれた後方基端部を後立（８）とする。
（ハ）天板（６ａ）天板（６ｂ）の後方側先端に突片（１１ａ）突片（１１ｂ）を残し、天板（６ａ）天板（６ｂ）の短辺を囲むようにＵ字型に切込み（５）を設け天板（６ｃ）天板（６ｄ）を形成し、その前方側先端に、左右より対向した半円状の係止突片（１２ａ）係止突片（１２ｂ）を設け、後立（８）と天板（６ｃ）天板（６ｄ）の境界部に内折れ線（３ｃ）を横方向に設ける。
（ニ）突片（１１ａ）に挿し込み孔（１５）を左上より右下方向に向けて設け、突片（１１ｂ）に挿し込み片（１６）を左上方向に向けて設ける。
（ホ）突片（１１ａ）と天板（６ｃ）の境界に内折れ線（３ｄ）を右上から左下方向へ向けて設け、突片（１１ｂ）と天板（６ｄ）の境界に内折れ線（３ｅ）を左上から右下方向へ向けて設ける。
本発明は以上の構成からなっている。
本発明を使用するときは、図７に示すように内折れ線（３ａ）内折れ線（３ｂ）内折れ線（３ｃ）内折れ線（３ｄ）内折れ線（３ｅ）を折り、後立（８）の先端下面に係止突片（１２ａ）係止突片（１２ｂ）を下げ挟み固定し、図８に示すように挿し込み片（１６）を挿し込み孔（１５）に挿入し天蓋状のクラウン部（９）を形成する。さらに図９に示すように外折れ線（４ａ）外折れ線（４ｂ）を折込み、縁壁（１０ａ）縁壁（１０ｂ）をつば（２）に対し垂直に折り下げ、帽子の形体を成した本体（１）が完成となる。このときつば（２）は図９に示すように側面より見て、中央のクラウン部（９）を頂点とした弓形をかたちづくる。完成した本発明は図５に示すように従来の帽子同様に頭部（１３）に冠ることができる。本発明は一枚のシート状に収納し、使用時はつづら折状の天板（６）を引き伸ばし折り組み天蓋状のクラウン部（９）を組み立て、つば（２）とクラウン部（９）とが一体となった帽子として使用する。本発明はクラウン部に大きな隙間が開く構造になっているが、頭部（１３）にバンダナ等の布（１４）を冠った上に本発明を冠ることにより、従来の広いつばを有する帽子同様の遮光性を発揮する。【０００９】  本発明の第３の実施の形態について図１１から図１２を用いて説明する。
（イ）紙、又は可撓性樹脂シートからなる本体（１）の一端を前方、他方を後方とし、本体の外周をつば（２）とし、つば（２）の内周前方に弓状の内折れ線（３ａ）を設け、つば（２）の内周後方に弓状の内折れ線（３ｂ）を設け、つば（２）の内周左側に弓状の外折れ線（４ａ）を設け弓状の縁壁（１０ａ）を形成し、つば（２）の内周右側に弓状の外折れ線（４ｂ）を設け弓状の縁壁（１０ｂ）を形成する。このとき内折れ線（３ａ）内折れ線（３ｂ）外折れ線（４ａ）外折れ線（４ｂ）は上方より見て連続的に円形又は楕円形をかたちづくる。
（ロ）つば（２）の内周前方より逆さＪ字型に左右対象に、短辺を内側に対向する形に切込み（５）を設け天板（６ａ）天板（６ｂ）を形成し、天板（６ａ）天板（６ｂ）の前方基端部を前立（７）とし、天板（６ａ）天板（６ｂ）に挟まれた後方基端部を後立（８）とする。
（ハ）天板（６ａ）天板（６ｂ）の後方側先端に突片（１１ａ）突片（１１ｂ）を残し、天板（６ａ）天板（６ｂ）の短辺を囲むようにＵ字型に切込み（５）を設け天板（６ｃ）天板（６ｄ）を形成し、その前方側先端に、左右より対向した半円状の係止突片（１２ａ）係止突片（１２ｂ）を設け、後立（８）と天板（６ｃ）天板（６ｄ）の境界部に内折れ線（３ｃ）を横方向に設ける。
（ニ）突片（１１ｂ）に両面テープ（１７）を貼付ける。
（ホ）突片（１１ａ）と天板（６ｃ）の境界に内折れ線（３ｄ）を右上から左下方向へ向けて設け、突片（１１ｂ）と天板（６ｄ）の境界に内折れ線（３ｅ）を左上から右下方向へ向けて設ける。
本発明は以上の構成からなっている。
本発明を使用するときは、図１２に示すように内折れ線（３ａ）内折れ線（３ｂ）内折れ線（３ｃ）内折れ線（３ｄ）内折れ線（３ｅ）を折り、後立（８）の先端下面に係止突片（１２ａ）係止突片（１２ｂ）を下げ挟み固定し、両面テープ（１７）を貼付けた突片（１１ｂ）を突片（１１ａ）に接着し天蓋状のクラウン部（９）を形成する。さらに外折れ線（４ａ）外折れ線（４ｂ）を折込み、縁壁（１０ａ）縁壁（１０ｂ）をつば（２）に対し垂直に折り下げ、帽子の形体を成した本体（１）が完成となる。このときつば（２）は側面より見て、中央のクラウン部（９）を頂点とした弓形をかたちづくる。完成した本発明は従来の帽子同様に頭部（１３）に冠ることができる。本発明は一枚のシート状に収納し、使用時はつづら折状の天板（６）を引き伸ばし折り組み天蓋状のクラウン部（９）を組み立て、つば（２）とクラウン部（９）とが一体となった帽子として使用する。本発明はクラウン部に大きな隙間が開く構造になっているが、頭部（１３）にバンダナ等の布（１４）を冠った上に本発明を冠ることにより、従来の広いつばを有する帽子同様の遮光性を発揮する。【００１０】  本発明の第４の実施の形態について図１３から図１５を用いて説明する。
（イ）紙、又は可撓性樹脂シートからなる本体（１）の一端を前方、他方を後方とし、本体の外周をつば（２）とし、つば（２）の内周前方に弓状の内折れ線（３ａ）を設け、つば（２）の内周後方に弓状の内折れ線（３ｂ）を設け、つば（２）の内周左側に弓状の外折れ線（４ａ）を設け弓状の縁壁（１０ａ）を形成し、つば（２）の内周右側に弓状の外折れ線（４ｂ）を設け弓状の縁壁（１０ｂ）を形成する。このとき内折れ線（３ａ）内折れ線（３ｂ）外折れ線（４ａ）外折れ線（４ｂ）は上方より見て連続的に円形又は楕円形をかたちづくる。
（ロ）つば（２）の内周前方より逆さＪ字型に左右対象に、短辺を内側に対向する形に切込み（５）を設け天板（６ａ）天板（６ｂ）を形成し、天板（６ａ）天板（６ｂ）の前方基端部を前立（７）とし、天板（６ａ）天板（６ｂ）に挟まれた後方基端部を後立（８）とする。
（ハ）天板（６ａ）天板（６ｂ）の後方側先端に突片（１１ａ）突片（１１ｂ）を残し、天板（６ａ）天板（６ｂ）の短辺を囲むようにＵ字型に切込み（５）を設け天板（６ｃ）天板（６ｄ）を形成し、その前方側先端に、左右より対向した半円状の係止突片（１２ａ）係止突片（１２ｂ）を設け、後立（８）と天板（６ｃ）天板（６ｄ）の境界部に内折れ線（３ｃ）を横方向に設ける。
（ニ）突片（１１ａ）にスナップ（１８ａ）を設け、突片（１１ｂ）にスナップ（１８ｂ）を設ける。
（ホ）突片（１１ａ）と天板（６ｃ）の境界に内折れ線（３ｄ）を右上から左下方向へ向けて設け、突片（１１ｂ）と天板（６ｄ）の境界に内折れ線（３ｅ）を左上から右下方向へ向けて設ける。
本発明は以上の構成からなっている。
本発明を使用するときは、図１４に示すように内折れ線（３ａ）内折れ線（３ｂ）内折れ線（３ｃ）内折れ線（３ｄ）内折れ線（３ｅ）を折り、後立（８）の先端下面に係止突片（１２ａ）係止突片（１２ｂ）を下げ挟み固定し、スナップ（１８ａ）をスナップ（１８ｂ）に接合し天蓋状のクラウン部（９）を形成する。さらに外折れ線（４ａ）外折れ線（４ｂ）を折込み、縁壁（１０ａ）縁壁（１０ｂ）をつば（２）に対し垂直に折り下げ、帽子の形体を成した本体（１）が完成となる。このときつば（２）は側面より見て、中央のクラウン部（９）を頂点とした弓形をかたちづくる。完成した本発明は従来の帽子同様に頭部（１３）に冠ることができる。本発明は一枚のシート状に収納し、使用時はつづら折状の天板（６）を引き伸ばし折り組み天蓋状のクラウン部（９）を組み立て、つば（２）とクラウン部（９）とが一体となった帽子として使用する。さらに、図１５に示すようにスナップ（１８）を面ファスナー（１９）に置き換えることも可能な構成となっている。本発明はクラウン部に大きな隙間が開く構造になっているが、頭部（１３）にバンダナ等の布（１４）を冠った上に本発明を冠ることにより、従来の広いつばを有する帽子同様の遮光性を発揮する。【００１１】  本発明の第５の実施の形態について図１６から図１９を用いて説明する。
（イ）紙、又は可撓性樹脂シートからなる本体（１）の一端を前方、他方を後方とし、本体の外周をつば（２）とし、つば（２）の内周前方に弓状の内折れ線（３ａ）を設け、つば（２）の内周後方に弓状の内折れ線（３ｂ）を設け、つば（２）の内周左側に弓状の外折れ線（４ａ）を設け弓状の縁壁（１０ａ）を形成し、つば（２）の内周右側に弓状の外折れ線（４ｂ）を設け弓状の縁壁（１０ｂ）を形成する。このとき内折れ線（３ａ）内折れ線（３ｂ）外折れ線（４ａ）外折れ線（４ｂ）は上方より見て連続的に円形又は楕円形をかたちづくる。
（ロ）つば（２）の内周前方より逆さＪ字型に左右対象に、短辺を内側に対向する形に切込み（５）を設け天板（６ａ）天板（６ｂ）を形成し、天板（６ａ）天板（６ｂ）の前方基端部を前立（７）とし、天板（６ａ）天板（６ｂ）に挟まれた後方基端部を後立（８）とする。
（ハ）天板（６ａ）天板（６ｂ）の後方側先端に突片（１１ａ）突片（１１ｂ）を残し、天板（６ａ）天板（６ｂ）の短辺を囲むようにＵ字型に切込み（５）を設け天板（６ｃ）天板（６ｄ）を形成し、その前方側先端に、左右より対向した半円状の係止突片（１２ａ）係止突片（１２ｂ）を設け、後立（８）と天板（６ｃ）天板（６ｄ）の境界部に外折れ線（４ｃ）を横方向に設ける。
（ニ）突片（１１ａ）の基端部外側に内折れ線（３ｃ）を横方向に設け基端部中央から後方に内折れ線（３ｄ）を設け基端部内側に外折れ線（４ｄ）を横方向設け、突片（１１ｂ）の基端部外側に内折れ線（３ｅ）を横方向に設け基端部中央から後方に内折れ線（３ｆ）を設け基端部内側に外折れ線（４ｅ）を横方向に設ける。
（ホ）前立（７）後立（８）縁壁（１０ａ）縁壁（１０ｂ）に各々留具（２０）を設ける。
本発明は以上の構成からなっている。
本発明を使用するときは、内折れ線（３ａ）内折れ線（３ｂ）内折れ線（３ｃ）内折れ線（３ｄ）内折れ線（３ｅ）内折れ線（３ｆ）外折れ線（４ｃ）外折れ線（４ｄ）外折れ線（４ｅ）を折り、後立（８）の先端上面に係止突片（１２ａ）係止突片（１２ｂ）を上げ挟み固定し、天蓋状のクラウン部（９）を形成し、突片（１１ａ）突片（１１ｂ）を垂直に立てる。外折れ線（４ａ）外折れ線（４ｂ）を折込み、縁壁（１０ａ）縁壁（１０ｂ）をつば（２）に対し垂直に折り下げ、帽子の形体を成した本体（１）が完成となる。このときつば（２）は側面より見て、中央のクラウン部（９）を頂点とした弓形をかたちづくる。本発明は一枚のシート状に収納し、使用時はつづら折状の天板（６）を引き伸ばし折り組み天蓋状のクラウン部（９）を組み立て、つば（２）とクラウン部（９）とが一体となった帽子として使用する。本発明の使用時は、図１７に示すように、布（１４）をクラウン部（９）に被せ、図１８図１９に示すように布（１４）を留具（２０）で挟み固定する。これにより前立（７）後立（８）天板（６）は布（１４）とともに天蓋状のクラウン部（９）を形成し、この状態で本発明を頭部（１３）に冠ることにより、従来の広いつばを有する帽子同様の遮光性を発揮する。又、クラウン部（９）頂点に突出する突片（１１）が動物の耳や角などに見立てるデザインを可能とする構成となっている。【００１２】  本発明の第６の実施の形態について図２０から図２３を用いて説明する。
（イ）紙、又は可撓性樹脂シートからなる本体（１）の一端を前方、他方を後方とし、本体の外周をつば（２）とし、つば（２）の内周前方に弓状の内折れ線（３ａ）を設け、つば（２）の内周後方に弓状の内折れ線（３ｂ）を設け、つば（２）の内周左側に弓状の外折れ線（４ａ）を設け弓状の縁壁（１０ａ）を形成し、つば（２）の内周右側に弓状の外折れ線（４ｂ）を設け弓状の縁壁（１０ｂ）を形成する。このとき内折れ線（３ａ）内折れ線（３ｂ）外折れ線（４ａ）外折れ線（４ｂ）は上方より見て連続的に円形又は楕円形をかたちづくる。
（ロ）つば（２）の内周前方より逆さＪ字型に左右対象に、短辺を内側に対向する形に切込み（５）を設け天板（６ａ）天板（６ｂ）を形成し、天板（６ａ）天板（６ｂ）の前方基端部を前立（７）とし、天板（６ａ）天板（６ｂ）に挟まれた後方基端部を後立（８）とする。
（ハ）天板（６ａ）天板（６ｂ）の後方側先端に突片（１１ａ）突片（１１ｂ）を残し、天板（６ａ）天板（６ｂ）の短辺を囲むようにＵ字型に切込み（５）を設け天板（６ｃ）天板（６ｄ）を形成し、その前方側先端に、左右より対向した半円状の係止突片（１２ａ）係止突片（１２ｂ）を設け、後立（８）と天板（６ｃ）天板（６ｄ）の境界部に内折れ線（３ｃ）を横方向に設ける。
（ニ）突片（１１ａ）に挿し込み孔（１５）を左上より右下方向に向けて設け、突片（１１ｂ）に挿し込み片（１６）を左上方向に向けて設ける。
（ホ）突片（１１ａ）と天板（６ｃ）の境界に内折れ線（３ｄ）を右上から左下方向へ向けて設け、突片（１１ｂ）と天板（６ｄ）の境界に内折れ線（３ｅ）を左上から右下方向へ向けて設ける。
（ヘ）前立（７）後立（８）縁壁（１０ａ）縁壁（１０ｂ）に各々留具（２０）を設ける。
本発明は以上の構成からなっている。
本発明を使用するときは、内折れ線（３ａ）内折れ線（３ｂ）内折れ線（３ｃ）内折れ線（３ｄ）内折れ線（３ｅ）を折り、後立（８）の先端下面に係止突片（１２ａ）係止突片（１２ｂ）を下げ挟み固定し、挿し込み片（１６）を挿し込み孔（１５）に挿入し天蓋状のクラウン部（９）を形成する。さらに外折れ線（４ａ）外折れ線（４ｂ）を折込み、縁壁（１０ａ）縁壁（１０ｂ）をつば（２）に対し垂直に折り下げ、帽子の形体を成した本体（１）が完成となる。このときつば（２）は側面より見て、中央のクラウン部（９）を頂点とした弓形をかたちづくる。本発明は一枚のシート状に収納し、使用時はつづら折状の天板（６）を引き伸ばし折り組み天蓋状のクラウン部（９）を組み立て、つば（２）とクラウン部（９）とが一体となった帽子として使用する。本発明の使用時は、図２１に示すように、布（１４）をクラウン部（９）に被せ、図２２図２３に示すように布（１４）を留具（２０）で挟み固定する。これにより前立（７）後立（８）天板（６）は布（１４）とともに天蓋状のクラウン部（９）を形成し、この状態で本発明を頭部（１３）に冠ることにより、従来の広いつばを有する帽子同様の遮光性を発揮する。又、突片（１１）どうしを接合するための方法として、図１１から図１２に示すように突片（１１）に両面テープ（１７）を貼付けた構造や、図１３から図１４に示すように突片（１１）にスナップ（１８）を設けた構造や、図１５に示すように突片（１１）に面ファスナー（１９）を設けた構造に置き換えることも可能な構成となっている。
【図面の簡単な説明】
【００１３】
【図１】本発明の使用状況を示す斜視透視図
【図２】本発明の展開図
【図３】本発明の斜視図
【図４】本発明の斜視図
【図５】本発明の他の実施例の使用状況を示す斜視透視図
【図６】本発明の他の実施例の展開図
【図７】本発明の他の実施例の組立斜視透視図
【図８】本発明の他の実施例の組立斜視図
【図９】本発明の他の実施例の斜視図
【図１０】本発明の他の実施例の斜視図
【図１１】本発明の他の実施例の展開図
【図１２】本発明の他の実施例の組立斜視図
【図１３】本発明の他の実施例の展開透視図
【図１４】本発明の他の実施例の組立斜視図
【図１５】本発明の他の実施例の展開透視図
【図１６】本発明の他の実施例の展開図
【図１７】本発明の他の実施例の組立斜視透視図
【図１８】本発明の他の実施例の斜視図
【図１９】本発明の他の実施例の斜視図
【図２０】本発明の他の実施例の展開図
【図２１】本発明の他の実施例の組立斜視透視図
【図２２】本発明の他の実施例の斜視図
【図２３】本発明の他の実施例の斜視図
【符号の説明】
【００１４】１  本体
２  つば
３  内折れ線
４  外折れ線
５  切込み
６  天板
７  前立
８  後立
９  クラウン部
１０  縁壁
１１  突片
１２  係止突片
１３  頭部
１４  布
１５  挿し込み孔
１６  挿し込み片
１７  両面テープ
１８  スナップ
１９  面ファスナー
２０  留具
【図１】
2009057674.tif 000003
【図２】
2009057674.tif 000004
【図３】
2009057674.tif 000005
【図４】
2009057674.tif 000006
【図５】
2009057674.tif 000007
【図６】
2009057674.tif 000008
【図７】
2009057674.tif 000009
【図８】
2009057674.tif 000010
【図９】
2009057674.tif 000011
【図１０】
2009057674.tif 000012
【図１１】
2009057674.tif 000013
【図１２】
2009057674.tif 000014
【図１３】
2009057674.tif 000015
【図１４】
2009057674.tif 000016
【図１５】
2009057674.tif 000017
【図１６】
2009057674.tif 000018
【図１７】
2009057674.tif 000019
【図１８】
2009057674.tif 000020
【図１９】
2009057674.tif 000021
【図２０】
2009057674.tif 000022
【図２１】
2009057674.tif 000023
【図２２】
2009057674.tif 000024
【図２３】
2009057674.tif 000025